(57)【要約】【課題】設置場所を選ぶことなく、効率よく間接照明としても使用できる照明器具を提供する。【解決手段】台座２１に設けられた器具本体２０は、基部３１が台座２１に設けられた支柱３０と、支柱３０の先端部にヒンジ部２３を介して第１端部４１が連結されたアーム４０と、アーム４０内に設けられた第１光源４７および第２光源４８とを有する。アーム４０の第２端部４２が支柱３０から離れた伸長状態では、第１光源４７が台座２１の載置面を照明する。アーム４０の第２端部４２が支柱３０の一端面３２と近接する折り畳み状態では、器具本体２０は支柱３０とアーム４０とが連続する環形状を形成し、第２光源４８からの光が環形状の中空部２４を介して支柱３０に当たって間接光となる。このため、壁面等がなくても支柱３０に当たった間接光を得ることができるので、設置場所を選ぶことなく、間接照明として使用できる。また、折り畳んだ状態では第２光源４８が点灯し、間接照明に使用されるので、効率を向上させることができる。【選択図】図１
2015076384.tif 000002
【特許請求の範囲】
【請求項１】
台座と、
前記台座に設けられた器具本体と、を有し、
前記器具本体は、基部が前記台座に設けられた支柱と、前記支柱の先端部にヒンジ部を介して第１端部が連結されたアームと、前記アーム内に設けられた第１光源および第２光源とを有し、
前記ヒンジ部を中心として前記支柱に対して前記アームが回動し、前記アームにおける前記第１端部とは反対側の第２端部が前記支柱から離れた伸長状態では、前記台座の載置面を前記第１光源が照明し、
前記ヒンジ部を中心として前記支柱に対して前記アームが回動し、前記アームにおける前記第１端部とは反対側の第２端部が前記支柱の一端面と近接する折り畳み状態では、前記支柱と前記アームとが連続する環形状を形成するとともに、前記第２光源からの光が前記環形状の中空部を介して前記支柱に当たって間接光となる照明器具。
【請求項２】
請求項１に記載の照明器具において、
前記折り畳み状態における前記第２光源からの光軸に沿うとともに、前記中空部の貫通軸線に対して平行な面に沿った前記支柱の幅寸法が、前記アームの幅寸法よりも大きい照明器具。
【請求項３】
請求項１または請求項２に記載の照明器具において、
前記折り畳み状態における前記第２光源からの光が当たる前記支柱の被照射面が、前記中空部に向かって突出する円弧面である照明器具。
【請求項４】
請求項１から請求項３までのうちのいずれか１項に記載の照明器具において、
前記台座に設けられたメインスイッチと、前記ヒンジ部に設けられた切替スイッチとを有し、
前記切替スイッチは、前記伸長状態において前記第１光源を点灯させ、前記折り畳み状態において前記第２光源を点灯させる照明器具。
【発明の詳細な説明】
【技術分野】
【０００１】
本発明は、机や台、床等に載置して使用することができる照明器具に関するものである。
【背景技術】
【０００２】
従来、照明器具として、ＬＥＤを用い、机の上等に載置して使用するデスクスタンドが知られている（例えば、非特許文献１参照）。
図７（Ａ）〜図７（Ｄ）に示すように、非特許文献１に記載の照明器具１００は、机１０１等の上に載置される矩形板状のスタンドベース１０２を有する。スタンドベース１０２には、ヒンジ部１０３を介して脚部１０４が直立状態から前方へ回動可能に支持されている（図７（Ｂ）参照）。
【０００３】
脚部１０４の上端には、灯部１０５がヒンジ部１０８によって連結され、上下方向に回動可能に支持されている（図７（Ｃ）参照）。また、灯部１０５は、図７（Ｄ）に示すように、脚部１０４に沿って近接して折り畳むことができる（閉状態）。
灯部１０５は、図７（Ｂ）および図７（Ｃ）に示すように開いた状態（開状態）で机１０１の上を照らす。
灯部１０５には、ＬＥＤ光源（図示省略）が収容されており、ヒンジ部１０３に設けられている操作部のスイッチ１０６により点灯する。
このとき、例えば読書モードやリラックスモード等使用する状態に応じて、ＬＥＤ光源の光の色や強さを調整できるようになっている。
【０００４】
灯部１０５は、閉状態でも点灯させることができ、脚部１０４に設けられているスリット１０７を通して、脚部１０４の後方に光を照射する。一般的にデスクスタンドは、その背面側（後方）に部屋の壁面が位置して使用されることが多い。このため、この従来のデスクスタンドは、その背面側に壁面があることを想定し、スリット１０７を通り抜けた光を、照明器具１００の後方の壁面等（図示省略）に照射し、その反射光を間接照明として使用することができる。
【先行技術文献】
【特許文献】
【０００５】
【特許文献１】意匠登録第1438122号公報
【発明の概要】
【発明が解決しようとする課題】
【０００６】
しかしながら、前述したような従来の照明器具１００においては、間接照明として部屋を照明する際に、脚部１０４に設けられているスリット１０７を介して光を照射するため、スリット１０７を通過しない光が脚部１０４に遮られるため、光が無駄になるとともに、間接照明としても光量が少ないので暗く、省エネの観点からも効率を向上させることが望まれる。
さらに、間接照明とする際には、スリット１０７を通過した光を反射させる壁面等が必要となり、設置場所が壁面等の近傍に限定されるという問題があった。
【０００７】
本発明は、従来の問題を解決するためになされたもので、設置場所を選ぶことなく、効率よく間接照明としても使用できる照明器具を提供することを目的とする。
【課題を解決するための手段】
【０００８】
本発明の照明器具は、台座と、前記台座に設けられた器具本体と、を有し、前記器具本体は、基部が前記台座に設けられた支柱と、前記支柱の先端部にヒンジ部を介して第１端部が連結されたアームと、前記アーム内に設けられた第１光源および第２光源とを有し、前記ヒンジ部を中心として前記支柱に対して前記アームが回動し、前記アームにおける前記第１端部とは反対側の第２端部が前記支柱から離れた伸長状態では、前記台座の載置面を前記第１光源が照明し、前記ヒンジ部を中心として前記支柱に対して前記アームが回動し、前記アームにおける前記第１端部とは反対側の第２端部が前記支柱の一端面と近接する折り畳み状態では、前記支柱と前記アームとが連続する環形状を形成するとともに、前記第２光源からの光が前記環形状の中空部を介して前記支柱に当たって間接光となるものである。
【０００９】
また、本発明の照明器具では、前記折り畳み状態における前記第２光源からの光軸に沿うとともに、前記中空部の貫通軸線に対して平行な面に沿った前記支柱の幅寸法が、前記アームの幅寸法よりも大きいものである。
【００１０】
また、本発明の照明器具では、前記折り畳み状態における前記第２光源からの光が当たる前記支柱の被照射面が、前記中空部に向かって突出する円弧面であるものである。
【００１１】
さらに、本発明の照明器具は、前記台座に設けられたメインスイッチと、前記ヒンジ部に設けられた切替スイッチとを有し、前記切替スイッチは、前記伸長状態において前記第１光源を点灯させ、前記折り畳み状態において前記第２光源を点灯させるものである。
【発明の効果】
【００１２】
本発明は、アームの第２端部が支柱の一端面と近接する折り畳み状態では、支柱とアームとが連続する環形状を形成し、第２光源からの光が環形状の中空部を介して支柱に当たって間接光となる。このため、壁面等がなくても支柱に当たった間接光を得ることができるので、設置場所を選ぶことなく、間接照明として使用できる。また、折り畳んだ状態では第２光源が点灯し、間接照明に使用されるので、効率よく間接光を得ることができるという効果を有する照明器具を提供できる。
【図面の簡単な説明】
【００１３】
【図１】本発明に係る実施形態の照明器具の伸長状態を示す斜視図
【図２】本発明に係る実施形態の照明器具の折り畳み状態を示す斜視図
【図３】支柱に対してアームが回動する状態を示す側面図
【図４】アームを長手方向に切断した断面図
【図５】図４中Ｖ−Ｖ位置の断面図
【図６】図３中ＶＩ−ＶＩ位置の断面図
【図７】（Ａ）は従来の照明器具の全体斜視図であり、（Ｂ）は脚部を回動させた状態の側面図であり、（Ｃ）は脚部を直立して灯具を回動させた状態の側面図であり、（Ｄ）は灯部を折り畳んだ状態の斜視図
【発明を実施するための形態】
【００１４】
以下、本発明に係る実施形態の照明器具について、図面を用いて説明する。
図１に示すように、実施形態の照明器具１０は、例えば机（載置面）１１の上面に載置して、机１１の上面を照明するデスクランプ（スタンド）として使用することができる。
照明器具１０は、机１１に載置される台座２１と、台座２１に設けられた器具本体２０とを有する。
【００１５】
台座２１は、例えば薄い円形箱状を呈しており、内部には電源部２５が収容されている。電源部２５は、コンセントに接続される電線２６が接続されており、商用電源から電力の供給を受ける。
台座２１の上面には、電源のオン・オフを操作するためのメインスイッチ２２が設けられている。メインスイッチ２２は、電源部２５に接続されており、点灯電力の供給を制御する。
【００１６】
器具本体２０は、基部３１が台座２１に設けられた支柱３０と、ヒンジ部２３を介して支柱３０に回動可能に支持されるアーム４０とを有する。
図４に示すように、ヒンジ部２３は、支柱３０の上端に設けられた支柱側ブラケット３３と、アーム４０の基端部である第１端部４１の下端に設けられたアーム側ブラケット４３とを、回動軸２３１で連結して構成されている。これにより、アーム４０は、支柱３０に対して回動可能となる。
なお、ヒンジ部２３には、切替スイッチ３５が設けられている。切替スイッチ３５は、電源部２５に接続されている。
【００１７】
図１に示すように、支柱３０およびアーム４０の全体形状は、各々円、楕円、長円等の一部である曲線状に形成されている。
アーム４０において第１端部４１と反対側の先端部である第２端部４２が、支柱３０の一端面３２に近接すると、折り畳み状態（図２および図３における二点鎖線参照）となる。
図２および図３に示すように、折り畳み状態では、支柱３０およびアーム４０は、全体として、円、楕円、長円等の連続する環形状を呈しており、中央には中空部２４が形成される。
【００１８】
また、図１および図３に示すように、アーム４０の先端側の第２端部４２が支柱３０から離れる方向（図３中矢印Ａ方向）にアーム４０を回動させた伸張状態では、アーム４０の内側面が下方の机１１側を向く。
アーム４０は、ヒンジ部２３によって、支柱３０に対して接離するよう上下に回動することが可能であるとともに、アーム４０の回動範囲内における例えば中間位置で固定し使用することも可能となっている。
【００１９】
図５に示すように、アーム４０は、幅方向に長い長円形や楕円形状の断面を有する。アーム４０は、外側面に不透明な樹脂等で形成された外カバー４４を有し、内側面に透光性ある樹脂等で形成された幅寸法Ｗ２の透光カバー４５を有する。
図４に示すように、外カバー４４と透光カバー４５の間には内部空間４６が形成されている。内部空間４６における第２端部４２側には、第１光源４７が収容されており、第１光源４７と第１端部４１側のヒンジ部２３との間に、第１光源４７とは離間して、第２光源４８が収容されている。
【００２０】
図４および図５に示すように、第１光源４７は、アーム４０の内部空間４６に形成された第１光源取付部４９に取り付けられたＬＥＤ基板４７１およびＬＥＤ基板４７１に実装されたＬＥＤチップ４７２を有する。
また、ＬＥＤチップ４７２の照射方向には、レンズ４７３が設けられており、第１光源４７からの配光を制御している。
第１光源取付部４９は、アーム４０の内部空間４６に沿って設けられている金属製のフレーム５２に取り付けられており、ＬＥＤチップ４７２が発した熱をフレーム５２に伝達して放熱する。
第１光源４７は、アーム４０の先端寄りで、強い光を発し、机１１の上の本等を読むのに適しており、主に伸張状態（読書モード）で点灯する。
【００２１】
図４に示すように、第２光源４８は、アーム４０の内部空間４６に形成された第２光源取付部５１に取り付けられたＬＥＤ基板４８１およびＬＥＤ基板４８１に実装されたＬＥＤチップ４８２を有する。また、ＬＥＤチップ４８２の照射方向には、レンズ４８３が設けられており、第２光源４８からの配光を制御している。
第２光源取付部５１は、アーム４０の内部空間４６に沿って設けられている金属製のフレーム５２に取り付けられており、ＬＥＤチップ４７２が発した熱をフレーム５２に伝達して放熱する。
第２光源４８は、アーム４０の中央または基端部寄りで、柔らかい光を発するために設けられている。このため、レンズ４８３は、乳白カバーや、梨地仕上げのものを用いることができる。
第２光源４８は、主に折り畳み状態（間接照明モード）で点灯する。
【００２２】
図６に示すように、支柱３０は、幅方向に長い長円形や楕円形状の断面を有する。支柱３０において中空部２４に面する内面３４は、折り畳み状態において第２光源４８からの光が当たる被照射面であり、中空部２４側（図６において下側）に凸の例えば円弧面等の曲面となっている。
支柱３０は、折り畳み状態における第２光源４８からの光軸ＬＢ（図３参照）に沿うとともに、中空部２４の貫通軸線Ｌ１に対して平行な面に沿った幅寸法Ｗ１を有する。
支柱３０の幅寸法である内面３４の幅寸法Ｗ１は、アーム４０の幅寸法Ｗ２（図５参照）よりも大きい。なお、内面３４は、明るい色で形成されるのが望ましい。
【００２３】
次に、照明器具１０の使用態様について説明する。
図２に示すように、未使用状態では、アーム４０の第２端部４２が支柱３０の一端面３２と近接する折り畳み状態とすることができる。この状態では、全体コンパクトな環形状となっており、邪魔にならない。
次に、机１１の上の書物を読んだり、書いたりする場合（以後、「読書モード」と云う。）には、アーム４０を、ヒンジ部２３を中心として上方へ回動させて伸長状態とする（図２中矢印Ａ参照）。このとき、アーム４０の回動に対応して、ヒンジ部２３に設けられている切替スイッチ３５が、読書モードに切り替わる。
これにより、台座２１に設けられているメインスイッチ２２をオンとすることにより、第１光源４７が点灯する。この際、第２光源４８も点灯させるようにすることもできる。
【００２４】
次に、読書モードが終了したら、メインスイッチ２２をオフとすることにより、第１光源４７および第２光源４８を消灯することができる。
あるいは、読書モードの終了後に、間接照明として使用する場合（以後、「間接照明モード」と云う。）には、メインスイッチ２２をオンとした状態で、アーム４０を折り畳む（図３中矢印Ｂ参照）。
【００２５】
このとき、アーム４０の回動に対応して、ヒンジ部２３に設けられている切替スイッチ３５が、間接照明モードに切り替わり、第１光源４７を消灯させるとともに、第２光源４８を点灯させる。
これにより、第２光源４８からの光は、環形状の中空部２４を介して支柱３０の内面３４に照射され、さらに反射することとなるので、この光を間接光として出射して間接照明として利用することができる。
そして、間接照明モードを終了させる場合（未使用状態に戻す）には、メインスイッチ２２をオフとして、第１光源４７および第２光源４８を消灯させる。
【００２６】
実施形態の照明器具１０の作用効果について説明する。
照明器具１０では、台座２１に設けられた器具本体２０は、基部３１が台座２１に設けられた支柱３０と、支柱３０の先端部にヒンジ部２３を介して第１端部４１が連結されたアーム４０とを有する。アーム４０の内部には、第１光源４７および第２光源４８が収容されている。
ヒンジ部２３を中心として、アーム４０を支柱３０に対して回動させ、アーム４０の第１端部４１とは反対側の第２端部４２が支柱３０から離れた伸長状態では、第１光源４７が台座２１の机１１の上面を照明する。
【００２７】
また、アーム４０の第２端部４２が支柱３０の一端面３２と近接する折り畳み状態では、支柱３０とアーム４０とが連続する環形状を形成する。この折り畳み状態では第２光源４８が点灯し、第２光源４８からの光が環形状の中空部２４を介して支柱３０に当たって間接光となる。
このため、壁面等がなくても支柱３０に当たった間接光を得ることができるので、設置場所を選ぶことなく、間接照明として使用できる。
また、折り畳んだ状態では第１光源４７が消灯して第２光源４８が点灯し、間接照明に使用されるので、効率よく間接照明を行うことができる。
【００２８】
また、照明器具１０では、折り畳み状態における第２光源４８からの光軸ＬＢに沿うとともに、中空部２４の貫通軸線Ｌ１に対して平行な面に沿った支柱３０の幅寸法Ｗ１が、アーム４０の幅寸法Ｗ２よりも大きい。
このため、アーム４０に設けられている第２光源４８からの光が、支柱３０の内面３４に多く照射されて反射するので、第２光源４８からの光を、効率よく間接照明に使用することができる。
【００２９】
また、照明器具１０では、折り畳み状態における第２光源４８からの光が当たる支柱３０の内面３４が、中空部２４に向かって突出する円弧面である。
このため、円弧面である支柱３０の内面３４に照射された第２光源４８の光は、外向きに拡がるので、軟らかい光の間接照明を得ることができる。
【００３０】
さらに、照明器具１０は、台座２１に設けられたメインスイッチ２２と、ヒンジ部２３に設けられた切替スイッチ３５とを有する。切替スイッチ３５は、伸長状態において第１光源４７を点灯させ、折り畳み状態において第２光源４８を点灯させるように切り替える。
このため、アーム４０を伸長させたときには、第１光源４７を点灯させて、通常の照明状態を得ることができる。また、アーム４０を折り畳んで環形状としたときには、第２光源４８を点灯させて、間接照明とすることができる。
【００３１】
本発明の照明器具は、前述した実施形態に限定されるものでなく、適宜な変形、改良等が可能である。
例えば、前述した実施形態において、環形状として、円や長円形や楕円形等の曲線状の場合を例示したが、三角形等の多角形状とすることも可能である。
【符号の説明】
【００３２】
１０  照明器具
２０  器具本体
２１  台座
２２  メインスイッチ
２３  ヒンジ部
２４  中空部
３０  支柱
３１  基部
３２  一端面
３４  内面（被照射面）
３５  切替スイッチ
４０  アーム
４１  第１端部
４２  第２端部
４７  第１光源
４８  第２光源
Ｌ１  貫通軸線
ＬＢ  光軸
Ｗ１  支柱の幅寸法
Ｗ２  アームの幅寸法
【図１】
2015076384.tif 000003
【図２】
2015076384.tif 000004
【図３】
2015076384.tif 000005
【図４】
2015076384.tif 000006
【図５】
2015076384.tif 000007
【図６】
2015076384.tif 000008
【図７】
2015076384.tif 000009